(57)【特許請求の範囲】
【請求項１】
パーティションの外殻をなす四角枠形状のフレームの前後両面に遮蔽部材を張設し、同遮蔽部材の張りを調整する張り調整手段を設け、同張り調整手段は、前記フレームの両面を覆うように張設された遮蔽部材のほぼ中央部を同中央部からみて遮蔽部材の両端部と離間する方向に付勢することにより遮蔽部材の張りを調整するものであるパーティション。
【請求項２】
前記遮蔽部材は、その中央部がフレームの上辺に支持されて両端部がフレームの前後側に垂下されるものであり、前記張り調整手段は前記フレームの上辺に設けられて遮蔽部材の中央部を上方に付勢するものである請求項１に記載のパーティション。
【請求項３】
前記遮蔽部材の両端部は係止手段によりフレームに係止されている請求項２に記載のパーティション。
【請求項４】
前記遮蔽部材にて覆われたフレーム上に照光手段が設けられている請求項２又は３に記載のパーティション。
【請求項５】
請求項１乃至４の何れか１項に記載のパーティションに関節手段を設けて複数のパーティションを前記関節手段を介して互いに回動可能に連結したパーティション装置。
【発明の詳細な説明】
【０００１】
【発明の属する技術分野】
本発明は、部屋内を仕切るためのパーティション、パーティション装置に関するものである。
【０００２】
【従来の技術】
従来より部屋を簡易に仕切る手段としてパーティションが知られている。このパーティションは衝立或いは屏風とも呼ばれ、一般には四角形状に形成された外枠に遮蔽部材としてのスクリーンとなる布や紙等が表装に張設されている。これらのパーティションが単独で或いは複数連結された状態で設置されることにより、パーティションを挟んだセクションが互いに目視不可となり、簡易なプライバシーの確保が可能となるものである。
【０００３】
ところで、近年の趣向の多様化により各家庭においても、部屋のアクセント、或いはＬＤＫ（リビングダイニングキッチン）等の比較的広い部屋を簡易に仕切る為にパーティションが用いられることがある。
【０００４】
このような形で用いられるパーティションはその間仕切りとしての役割よりも、部屋の乱雑な部分を覆い隠すため、或いはその質感等により部屋のインテリアとして用いられていることが多い。
【０００５】
したがって、使用者は購入に際して、部屋の大きさや使用されている家具などのインテリアを考慮して、これに調和するものを選択する。
しかしながら、購入後に部屋の模様替えを行った場合には、パーティションのデザイン自体もこれに併せて変更したい場合がある。また、部屋の模様替えは行わない場合でもパーティションのデザイン自体を変更したい場合も生じる。
【０００６】
また、パーティションは、フレームに比して表装として用いられる紙や布等の経時的劣化が早く進むため、表装のスクリーンが汚れるとパーティション全体が汚れたように感じられる。
【０００７】
【発明が解決しようとする課題】
ところが、従来のパーティションは、固定的に組まれた外枠に紙或いは布地が糊等によって貼付されており、表装を交換するためには紙等を外枠から剥がし、新たな紙などをしわの寄らないように外枠に貼りつけなければならず、表装の変更は容易ではない。
【０００８】
したがって、パーティションの購入時には、その模様や質感を選択することができるものの、購入後に部屋の模様替え等に併せてパーティションの表装を変更することは困難であった。
【０００９】
上記事情に鑑みて、本発明は、表装の遮蔽部材を容易に変更することのできるパーティションを提供することを目的とする。
【００１０】
【課題を解決するための手段】
上記課題を解決するために請求項１の発明は、パーティションの外殻をなす四角枠形状のフレームの前後両面に遮蔽部材を張設し、同遮蔽部材の張りを調整する張り調整手段を設け、同張り調整手段は、前記フレームの両面を覆うように張設された遮蔽部材のほぼ中央部を同中央部からみて遮蔽部材の両端部と離間する方向に付勢することにより遮蔽部材の張りを調整するものである。
【００１３】
請求項２では、前記遮蔽部材は、その中央部がフレームの上辺に支持されて両端部をフレームの前後に垂下させるものであり、前記張り調整手段は前記フレームの上辺に設けられて遮蔽部材の中央部を上方に付勢するものとした。
【００１４】
請求項３では、前記遮蔽部材の両端部は係止手段によりフレームに係止されている。また、請求項４では、遮蔽部材にて覆われたフレーム上に照光手段が設けられている
請求項５では、関節手段を設けて複数のパーティションを前記関節手段を介して互いに回動可能に連結してパーティション装置とした。
【００１５】
【発明の実施の形態】
以下、本発明を具体化したパーティションの一実施形態を図１〜図８に従って説明する。
【００１６】
図１（ａ）に示すパーティション装置は、同一構造のパーティション１を互いに回動可能に連結した構成となっており、本実施形態では３つのパーティション１を連結している。
【００１７】
図１（ａ）及び図２に示すように、パーティション１は、パーティション１の外殻をなす四角枠形状のフレーム２と、このフレーム２の両面を覆うように張設された遮蔽部材としてのスクリーン３とを備えている。フレーム２は、パーティション１の正面視において左右両側に上下方向に配設されている縦枠４と、左右両縦枠４の上部同士を結ぶように配置された上枠５と、両縦枠４の下部同士を結ぶように配置された下枠６と、上枠５と下枠６との間の３箇所に上枠５及び下枠６と平行に配置された中枠７とから構成されている。
【００１８】
これら縦枠４、上枠５、下枠６及び中枠７には、一定の板厚及び板幅を有する木製の板材が共通して使用され、使用部位に応じて板材の長さを変更して用いられている。
【００１９】
上記各枠４、５、６、７は、図１（ａ）（ｂ）及び図２から明らかなように、すべて２枚の板材の板面が互いに向き合う状態で平行となるように配置して使用される。したがって、縦枠４、上枠５等と表現する場合には原則として２枚の板材を互いに板面が向き合う状態で平行に配置した、いわゆる２枚１組の状態を意味する。また、上枠５、下枠６及び中枠７は、板面がパーティション１の正面を向くように配置されている。なお、各枠４、５、６、７又は板材について長手方向という場合には板材の長さ方向を意味する。
【００２０】
縦枠４は、板材の厚み側がパーティション１の正面を向くように、いいかえれば板材の板面がフレーム２の内側を向くように配置される。また、各縦枠４を構成する板材は長手方向において複数の板材（上板４ａ、中板４ｂ、中板４ｃ、下板４ｄの４段）に分割されており、これらの複数の板材４ａ〜４ｄを互いに直列的に連結することにより縦枠４が構成される。そして、縦枠４を構成する各板材４ａ〜４ｄの連結は、左右の縦枠４間に配置した中枠７を介して行われる。
【００２１】
すなわち、縦枠４を構成する各板材４ａ〜４ｄの両端部の短辺上には長手方向に沿って溝が２カ所ずつ形成されている（図示しない）。また、中枠７を構成する各板材の長辺の上下両端部には幅方向に沿って溝が２カ所ずつ形成されている（図示しない）。そして、これらの溝同士をいわゆる十字相欠きつぎの要領で組み合わせることにより、縦枠４の各板材４ａ〜４ｄ同士が中枠７を介して直列的に連結される。
【００２２】
縦枠４及び中枠７に形成されている溝の長さは特に規定はないが、両溝を嵌合させた状態で縦枠４の各板材４ａ〜４ｄの下端が中枠７の幅方向中間部に達するような長さに両溝の長さを設定すれば、縦枠４の板材４ａ〜４ｄ同士に隙間が生じないよう連結可能となる。
【００２３】
縦枠４と上枠５、縦枠４と下枠６間の連結も上記した縦枠４と中枠７間の連結と同様に、板材同士が嵌合する所定位置に溝を形成することにより十字相欠きつぎの要領で連結する。ただし、下枠６においては、パーティションの接地時の安定性等が必要となるため、縦枠４と下枠６とを嵌合させた状態で下枠６が縦枠の下板４ｄの下端部から露出しない深さに縦枠４又は下枠６の嵌合部分の溝の深さを設定する。
【００２４】
上枠５には、スクリーン張り調整手段としてのテンションメーカー８が配置されている。このテンションメーカー８は、パーティション１に張設したスクリーン３に対して常にある程度の張力を付与することによりスクリーン３にしわが生ずることを防止するものである。テンションメーカー８は、上枠５を構成する２枚の板材間に配置された底板９と、付勢手段としてのコイルスプリング１０と、木製のテンションバー１１とから構成されている（図３（ａ）、図３（ｂ））。
【００２５】
底板９は、上枠５を構成する２枚の板材間の間隔に相当する板幅を有するとともに、上枠５とほぼ同じ長さに形成されている。この底板９は上枠５の２枚の板材に挟持された状態で、縦枠４の上端に支持されている。底板９の上面の複数箇所（本実施形態では２カ所）には、コイルスプリング１０が上下方向に伸縮可能に固定されており、コイルスプリング１０の上方に固定支持されているテンションバー１１を常に上方へと付勢している。
【００２６】
テンションバー１１は、上枠５を構成する２枚の板材間に遊嵌可能な板厚を有し、長手方向は上枠５の板材よりわずかに短い長さに形成されている（図３（ａ））。また、テンションバー１１の角部のうちスクリーン３と接触する角部は面取りされて丸く形成されている（図３（ｂ））。
【００２７】
テンションバー１１は、上方から押圧されていない状態ではコイルスプリング１０の付勢力により上枠５の板材上辺からほぼ全体が露出している。一方、上方から押圧された場合にはコイルスプリング１０の伸縮ストロークに応じてテンションバー１１が上枠５の板材の間に嵌入する。このため、テンションバー１１の上方からの押圧力を受けることによりテンションバー１１の位置、いいかえればパーティション１の上端位置が変動する。
【００２８】
中枠７のうち最下側の枠（以下、この枠を「係止枠」という。）１２を構成する両板材１２ａ，１２ｂの下側辺には、張設されたスクリーン３を係止する係止手段としての係止クリップ１３が係脱可能に支持されている（図４（ａ）、図４（ｂ））。この係止クリップ１３は断面コ字状をなす長尺状に成形され、全体として弾性を備えた樹脂で形成されている。そして、係止クリップ１３の内側にスクリーン３を挟み込んだ状態で板材１２ａ，１２ｂに係合させることによりスクリーン３の両端部を係止枠１２に固定することができる。したがって、係止クリップ１３のコ字状をなす内幅は係止枠１２の板材１２ａ，１２ｂの厚さとほぼ同じに設定される。
【００２９】
また、同図に示すように係止枠１２には照光手段１４が配置されている。すなわち、係止枠１２の板材１２ａ，１２ｂ間には基台１５が挟持され、その上面に互いに電気的に接続された３基のＥＬ（ｅｌｅｃｔｒｏｌｕｍｉｎｅｓｃｅｎｃｅ）ライト１６が固定配置され、両者により照光手段としての照光ユニット１４が構成される。本実施形態ではパーティション１の正面視において各ＥＬライト１６の高さの約半分が係止枠１２上縁から露出する程度の位置に基台１５を配置している。
【００３０】
なお、係止枠１２の上側に照光手段１４を配置し、下側に係止クリップ１３を設けているため、スクリーン３の両端部を係止枠１２に係止した場合には、照光手段１４はスクリーン３に覆い隠された状態となり、外部からの視認が困難となる。すなわち、パーティション１の両面にスクリーン３を張設した状態では、照光手段１４は、フレーム２とスクリーン３とによって区画されたパーティション１の内部空間に配置されることとなる。
【００３１】
照光ユニット１４には、各パーティション１に設けられた照光ユニット１４同士を電気的に接続可能な端子（図示しない）が設けられており、パーティション１を複数連結した場合でもその各パーティション１の照光ユニット１４を発光させることが可能である。また、照光ユニット１４には一般家庭の電源を利用するための図示しない電気コードも接続され、家庭用コンセントから電源供給を受けて発光させることができる。
【００３２】
スクリーン３には和紙が使用されている。すなわち、手抄き、機械抄き等の種々の方法により抄紙された和紙を縦長及び横長が所定長さとなるようにカットして用いている。なお、スクリーン３となる和紙のサイズは、パーティション１の左右両縦枠４の内側板材間の長さを横幅とし、係止枠１２の一方の板材１２ａの下端からテンションバー１１上端を介して係止枠１２の他方の板材１２ｂの下端までの長さよりわずかに長い長さをスクリーン３の縦長とする。なお、この縦長はテンションバー１１を上方から押圧していない状態での長さを対象とする。
【００３３】
次に、本実施形態のパーティション１の組立方法について説明する。
まず、各板材を組み付けてフレーム２を作成する。この組み付けは上枠５から順次下側に向かって組み立てていってもよく、下枠６から順次上側に向かって組み立てていってもよい。
【００３４】
具体的に下枠６から上側に向かって組み立てる場合を示すと、下枠６を構成する板材の両側の溝にそれぞれ縦枠４の下板４ｄの溝を嵌合させる。そして、この板材４ａの上側に同様に係止枠１２の板材１２ａ，１２ｂを組み付ける。
【００３５】
係止枠１２の板材１２ａ，１２ｂ間に照光ユニット１４を固定する。この照光ユニット１４の固定は接着剤或いはネジ止め等各種の方法を採用することができる。
【００３６】
更に、縦枠４の中板４ｂを係止枠１２の板材１２ａ，１２ｂの上方に組み付けていき、更に中枠７と縦枠４の板材４ｃ，４ｄとを交互に組み付けていく。
そして、縦枠４の板材４ａ〜４ｄを全て連結した後に、上板４ａの上端に上枠５を組み付け、上枠５にテンションメーカー８を配置してパーティション１のフレーム２が完成する。なお、テンションメーカー８を予めユニット化しておくことにより組み付け時の作業が容易となる。
【００３７】
本実施形態では、このパーティション１を３つ作成し、各パーティション１同士を関節手段としての蝶番１７で連結することにより、３つのパーティション１を回動可能に連結している（図５）。
【００３８】
次に、スクリーン３の張設作業を行う。まず、テンションバー１１をコイルスプリング１０の付勢力に抗して最下位置まで押し下げ、その位置でテンションバー１１と上枠５とを紐Ｃで結んでテンションバー１１が上方に移動しないように固定させておく（図６）。続いて、スクリーン３の一端を係止枠１２の一方の板材１２ａの下端に沿わせ、その外側から係止クリップ１３を板材１２ａに係合させてスクリーン３を係止させる。
【００３９】
そして、スクリーン３の他端をテンションバー１１の上方を経由させてパーティション１の反対側の面に垂下させ、この他端を係止枠１２の他方の板材１２ｂの下端に沿わせて同様に係止クリップ１３で係止させる。この場合、スクリーン３の表面にしわがよらないように完全に張った状態でスクリーン３を係止させる。
【００４０】
スクリーン３の両端部を係止した後、テンションバー１１を固定していた紐Ｃをほどく。これにより、テンションバー１１はコイルスプリング１０の付勢力により上方に付勢され、テンションバー１１に接しているスクリーン３の中央部も上方に付勢され、いい換えればスクリーン３の両端部とは離間する方向に引っ張られる形でスクリーン３の張りが調整される。
【００４１】
そして、各パーティション１を蝶番１７を介してジクザク状に配置させることにより、パーティション１を自立させることがきる。また、照光手段１４の図示しない操作スイッチを入れることにより、ＥＬライト１６が発光される。このため、パーティション１外部から見れば内側に設けられている照光手段１４によりスクリーン３を介して外部に照光され、その光がパーティション外部から視認できることとなり、照光手段１４による照光が間接照明となる。
【００４２】
なお、外部に対して照光とはパーティション１の内部に配置されたＥＬライト１６の発光がスクリーン３を介してパーティション１の外部から確認できることをいい、その光量の程度は少なくともＥＬライト１６が発光していることを外部から視認できる程度であればよい。
【００４３】
一方、スクリーン３の変更（張り替え）を行う場合には上記したスクリーン張設作業と逆の手順により、フレーム２に張設されているスクリーン３を取り外し、前記スクリーン張設作業と同様の手順によりフレーム２に対して新たなスクリーン３を張設すればよい。
【００４４】
上記実施形態のパーティションによれば、以下のような特徴を得ることができる。
（１）スクリーン３を張設することによりパーティション１を介した反対側は見えなくなる。このため、簡易な形で部屋を仕切ることが可能となる。
【００４５】
（２）フレーム２の上からスクリーン３を張設している。このため、スクリーン３の張設作業、張り替え作業等が容易となる。
（３）パーティション１の両面にスクリーン３が張設されている。このため、パーティション１に表裏がなくいずれを表側として使用することもできる。
【００４６】
（４）スクリーン３をパーティション１のフレーム２の両面に張設している。したがって、和紙の厚みが薄いものであっても両面に張ることによりパーティション１全体としての遮蔽性を得ることができる。
【００４７】
（５）パーティション１を正面から見た場合にはスクリーン３がパーティション１の主要部として視認される。このため、スクリーン３の模様、素材等を変更すればパーティション１全体の雰囲気を変更することができる。
【００４８】
（６）上記実施形態では、パーティション１のスクリーン３を係止クリップ１３で係止枠１２に着脱可能に係止している。したがって、スクリーン３はパーティション１のフレーム２に取付及び取外可能に張設されており、スクリーン３を容易に変更することができる。
【００４９】
（７）スクリーン３はテンションバー１１の付勢力により常に引っ張られる状態で張設される。このため、経時的或いは湿度等の変化によりスクリーン３の長さが変化する場合でもテンションバー１１のストロークの範囲内でスクリーン３の長さの変化を吸収することができる。
【００５０】
（８）テンションメーカー８によって張りが調整されるのはスクリーン３の長さ方向における中央部である。このため、スクリーン３の両面の張りを均等に調整することができる。
【００５１】
（９）スクリーン３と接触するテンションバー１１の角部を面取りしている。このため、テンションバー１１がスクリーン３を引っ張るように張設してもスクリーン３が破れにくい。
【００５２】
（１０）係止クリップ１３は断面コ字状の簡単な構成である。このため、スクリーン３の係止枠１２への係止作業が容易となる。
（１１）縦枠４には複数の板材４ａ〜４ｄを直列的に連結することにより構成される。このため分解すればかさばらず、保管、運搬に便利である。
【００５３】
（１２）各枠４，５，６，７は、それぞれ２枚の板材を互いにその板面が向き合うように平行に配置して使用している。このため、１枚の板材を利用する場合に比して強度を得ることができる。
【００５４】
（１３）縦枠４の上下端部及び横枠５の幅方向両端部にそれぞれ溝を形成して、互いの溝を十字相欠きつぎの要領により嵌合させて枠同士を固定している。このため、釘、ネジ等の部材を用いることなく簡単にパーティション１を組み立てることができる。
【００５５】
（１４）スクリーン３の内側に照光手段１４が設けられており、外部に対して照光可能としている。このため、スクリーン３を介した間接照明が得られ、意匠的な風合いを出すことが可能である。
【００５６】
（１５）下側に配置された係止枠１２に照光手段１４が設けられている。このため、照光手段の光量によっては足下用の照明としても使用することができる。
（１６）各枠４，５，６，７はいずれも共通の板厚、板幅の板材を長さのみ異ならせて使用している。したがって、使用する材料の均一化を図ることができ、材料のコスト面において安価となる。
【００５７】
（１７）ＥＬライト１６は発光に伴う発熱が少ない。このため、スクリーン３に和紙等を使用した場合でも安全性が高い。
（１８）上記実施形態ではスクリーン３として和紙を用い、その和紙の両端部をＥＬライト１６より下側で係止している。このため、パーティション１内部に配置されたＥＬライト１６は和紙によって隠された状態となって外部から見えにくく、照光を行っていないときにはＥＬライト１６の存在を無視できる。
【００５８】
なお、上記実施形態は以下のように変更してもよい。
○関節手段は、パーティション１同士を回動可能に連結するものであればよく、蝶番１７以外の例えば紐、ゴム、バネ等によりパーティション１同士を連結してもよい。また、パーティション１間に設ける関節手段の数についても上記実施形態に限られず増減が可能である。
【００５９】
○連結するパーティション１の数を変更してもよい。上記実施形態では、３つのパーティション１を連結していたが、パーティション１同士を連結する場合は２つ以上であればよく、また下枠６に足部等の自立手段（図示しない）を設けるなどにより１つのパーティション１のみでも使用することができる。
【００６０】
○スクリーン３の下端部を係止枠１２に係止することなく、スクリーン３の両端部に錘を付けて自重により垂下させてもよい。なお、この場合には、上枠５に設けたテンションメーカー８も省略することができる。
【００６１】
○また、テンションメーカー８を省略する場合には、上枠５にスクリーン３を挟持或いは把持等可能な支持手段を設け、上枠５の両側に垂下させたスクリーン３がいずれか一方にずれないようにしてもよい。
【００６２】
○木材以外の材質を利用してフレーム２を形成してもよい。例えば、プラスチック、紙、金属等の材質を利用してフレーム２を形成することによりその質感を積極的に利用することができる。
【００６３】
○スクリーン３として使用する紙の種類を変更したり、スクリーン３自体に機能性を持たせてもよい。例えば、化学繊維や天然繊維を利用した不織布や織物生地、編物生地、フィルム等をスクリーン３として使用してもよい。また、スクリーン３にマイナスイオン発生機能、消臭機能、蓄光機能、集塵機能、調湿機能、抗菌機能、電磁波吸収機能を持たせてもよい。この場合、素材が紙であればこれらの機能を有するパウダー等をスラリーに混ぜることにより前記各機能を備えた機能紙を得ることができる。
【００６４】
○上記実施形態では、各枠４，５，６，７を構成する板材等に溝等を形成したが、このような構成に限られず、例えば縦枠４にのみ溝を形成し、他の枠５，６，７には溝を形成することなく両者４，５が所定の相対位置を採り得るように縦枠４の溝の深さを設定してもよい。
【００６５】
○縦枠４を長手方向に４分割した板材４ａ〜４ｄにより構成したが、このように分割することなく連続した１枚の板材を使用してもよい。すなわち、図７に示す縦枠４のように上端から下端までを１枚の長板材で形成し、その両端に上枠５及び下枠６に嵌合する溝（図示しない）を形成する。また、途中の３カ所には、中枠７を挿入するための嵌合孔を幅方向に２カ所ずつ穿設する（図示しない）。なお、この嵌合孔は中枠７の板幅及び板厚に応じたサイズとする必要がある。これにより、縦枠４の組立において複数の板材を中枠７を介して直列的に連結させる必要がなく作業が容易となる。
【００６６】
○中枠７に排気ファンを設けてもよい。例えば、係止枠１２の板面に図示しない丸孔を穿設し、この丸孔に図示しない排気ファンを取り付け、スクリーン３で囲われたパーティション１内側の空気と外側の空気とをスクリーン３を介して積極的に流通できるようにしてもよい。例えば、スクリーン３に集塵等の機能紙等を用いた場合には、積極的に空気の流通させることによって機能を一層発揮させることができる。また、照光手段１４の冷却手段として利用することもできる。
【００６７】
○照光手段１４を省いてもよい。係止枠１２に排気ファン等を設ける場合には、いずれか一方のみを採用することも可能である。
○図７に示すように中枠７の外側に更にスクリーン押え板１８を当接可能として、スクリーン３をフレーム２に張設した後にスクリーン３の表側から中枠７に押し付けるように当てがうようにしてもよい。和紙等をスクリーン３に用いる場合には側縁部分がめくれあがる場合があるため、スクリーン３の内側と表側の両面側から押さえることにより、側縁のめくれを防止することができる。また、意匠上のアクセントにもなる。
【００６８】
○縦枠４、或いは上枠５、下枠６、中枠７のそれぞれの長さ、又は数を変更してもよい。上記実施形態では、縦枠４には４枚の板材４ａ〜４ｄを使用したが、中板４ｂを省略して３枚の板材４ａ，４ｃ，４ｄで縦枠４を構成してもよい。これにより図８にフレーム２を示したようにパーティション１の高さを低くすることができる。逆により高くしたい場合には縦枠４を構成する板材を増やすことも可能である。
【００６９】
○スクリーン３に模様の付加、また彩色を施してもよい。これによってより意匠的効果を発揮することができる。
○照光ユニット１４を設ける位置を変更し、また照光ユニットを他の枠にも形成してもよい。上記実施形態では、中枠７の最下枠（係止枠１２）にのみ照光ユニット１４を設けていたが、係止枠１２に変えて他の中枠７に照光ユニット１４を設けてもよく、また複数の中枠７に照光ユニット１４を設けてもよい。
【００７０】
○照光ユニット１４の種類を変更してもよい。ＥＬライト１６のみならず、蛍光灯、ＬＥＤ等の発光に伴う発熱量の少ない光源を要することができる。また、発光色も無色に限られず有色の発光を行わせてもよい。なお、フレーム２、スクリーン３の不燃性等の材質によって発熱量の多い光源を利用することも可能である。
【００７１】
○フレーム２に張設されたスクリーン３のうち、ＥＬライト１６の側部に位置する部分にのみ模様を入れたり、意匠的形状の孔部を設けたり、スクリーン３の材質を変更してもよい。スクリーン３のうちＥＬライト１６からの光が最も多く当たる部分に模様や孔部を設けることにより、パーティション１の外部に放たれるＥＬライト１６の光に変化を与えることができる。
【００７２】
○スクリーン３はフレーム２の片面にのみ張設してもよい。この場合にはＥＬライト１６の光は片面ではスクリーン３を介して外部に照光され、もう一方の面は直接外部に照光される。
【００７３】
○パーティション１のフレーム２の形状は四角枠でなくても３角以上の多角形、円等でもよい。
○複数のパーティション１を連結した場合には個々のパーティション１毎に個別に照光のオンオフを制御できるようにしてもよい。また、パーティションに近接センサや光センサ等を設け、人が近づくと或いは室内の明るさ等に応じて自動的にＥＬライト１６の照光のオンオフを制御できるようにしてもよい。
【００７４】
○スクリーン３やＥＬライト１６の種類や配置が異なるパーティション１を複数連結してもよい。
次に上記実施形態及び別例から把握できる技術的思想を追記する。
【００７５】
（１）前記フレームは、板厚及び板幅が共通の木製の板を組み合わせて形成されたものである請求項１乃至５の何れか１項に記載のパーテイション、パーティション装置。
（２）前記フレームを縦枠と横枠とを備え、縦枠を複数の板材を横枠を介して直列的に連結することにより形成した請求項１乃至５又は技術的思想１に記載のパーテイション、パーティション装置。
【００７６】
【発明の効果】
以上、詳述したように、本発明では、表装の遮蔽部材を容易に変更することのできるパーティションを提供することができる。
【図面の簡単な説明】
【図１】（ａ）は本実施形態に係るパーティションを３体連結した正面図、（ｂ）はその側面図。
【図２】本実施形態に係るパーティション（単体）のフレームの正面図。
【図３】（ａ）は上枠に取り付けられたテンションメーカーの正面図、（ｂ）はその側面図。
【図４】（ａ）は係止枠に係止クリップと照光ユニットを取り付けた正面図、（ｂ）はその側面図。
【図５】本実施形態のパーティションのフレームを蝶番を介して３つ連結した状態の正面図。
【図６】スクリーンを張設する際のテンションメーカーを紐で固定した状態の正面図。
【図７】他の実施形態のパーティションの正面図。
【図８】他の実施形態のパーティションの正面図。
【符号の説明】
１‥パーティション、２‥フレーム、３‥遮蔽部材としてのスクリーン、４‥縦枠、５‥上枠、６‥下枠、７‥中枠、８‥張り調整手段としてのテンションメーカー、１２‥係止枠（中枠）、１３‥係止部材としての係止クリップ、１４‥照光手段としての照光ユニット、１６‥照光手段を構成するＥＬライト、１７‥関節手段としての蝶番。
【図１】
0003626941.tif 000002
【図２】
0003626941.tif 000003
【図３】
0003626941.tif 000004
【図４】
0003626941.tif 000005
【図５】
0003626941.tif 000006
【図６】
0003626941.tif 000007
【図７】
0003626941.tif 000008
【図８】
0003626941.tif 000009